Podtech/llm-jp-corpus-v4-ja_patent huggingface dataset:
【手続補正書】
【提出日】令和3年10月25日(2021.10.25)
【手続補正１】
【補正対象書類名】特許請求の範囲
【補正対象項目名】全文
【補正方法】変更
【補正の内容】
【特許請求の範囲】
【請求項１】
タリモジーン・ラハーパレプベックを含む、対象におけるがんを治療するための医薬組成物であって、前記タリモジーン・ラハーパレプベックは、ペンブロリズマブ、ペンブロリズマブバリアント又はこれらの抗原結合断片と併用して前記対象に投与され、がんが、肝細胞癌（ＨＣＣ）、乳腺癌、結腸直腸腺癌、胃食道腺癌、胃食道扁平上皮癌、黒色腫、非小細胞肺がん及び淡明細胞型腎細胞癌からなる群から選択される、医薬組成物。
【請求項２】
ペンブロリズマブ、ペンブロリズマブバリアント又はこれらの抗原結合断片を含む、対象におけるがんを治療するための医薬組成物であって、前記ペンブロリズマブ、ペンブロリズマブバリアント又はこれらの抗原結合断片は、タリモジーン・ラハーパレプベックと併用して前記対象に投与され、がんが、肝細胞癌（ＨＣＣ）、乳腺癌、結腸直腸腺癌、胃食道腺癌、胃食道扁平上皮癌、黒色腫、非小細胞肺がん及び淡明細胞型腎細胞癌からなる群から選択される、医薬組成物。
【請求項３】
タリモジーン・ラハーパレプベックを含む、対象における原発性又は続発性肝がんを治療するための医薬組成物であって、前記タリモジーン・ラハーパレプベックは、ペンブロリズマブ、ペンブロリズマブバリアント又はこれらの抗原結合断片と併用して前記対象に投与される、医薬組成物。
【請求項４】
ペンブロリズマブ、ペンブロリズマブバリアント又はこれらの抗原結合断片を含む、対象における原発性又は続発性肝がんを治療するための医薬組成物であって、前記ペンブロリズマブ、ペンブロリズマブバリアント又はこれらの抗原結合断片は、タリモジーン・ラハーパレプベックと併用して前記対象に投与される、医薬組成物。
【請求項５】
原発性肝がんがＨＣＣである、請求項３又は４に記載の医薬組成物。
【請求項６】
続発性肝がんが、肝細胞癌、乳腺癌、結腸直腸腺癌、胃食道腺癌、胃食道扁平上皮癌、黒色腫、非小細胞肺がん及び淡明細胞型腎細胞癌からなる群から選択されるがんの転移である、請求項３又は４に記載の医薬組成物。
【請求項７】
（ａ）タリモジーン・ラハーパレプベックが、対象に腫瘍内で投与され、
（ｂ）ペンブロリズマブ、ペンブロリズマブバリアント又はこれらの抗原結合断片は、対象に全身投与され、
（ｃ）タリモジーン・ラハーパレプベックが、ペンブロリズマブ、ペンブロリズマブバリアント又はこれらの抗原結合断片の投与のより前に対象に投与され、
（ｄ）タリモジーン・ラハーパレプベック及びペンブロリズマブ、ペンブロリズマブバリアント又はこれらの抗原結合断片の投与の後に注入された腫瘍の大きさが減少し、
（ｅ）タリモジーン・ラハーパレプベックが、初回用量として、続いて１回以上の二次用量として連続して投与され、及び／又は
（ｆ）ペンブロリズマブ、ペンブロリズマブバリアント又はこれらの抗原結合断片が、初回用量として、続いて１回以上の二次用量として投与される、
請求項１〜４のいずれか一項に記載の医薬組成物。
【請求項８】
タリモジーン・ラハーパレプベックが、初回用量、続いて１回以上の二次用量として連続して投与され、ペンブロリズマブ、ペンブロリズマブバリアント又はこれらの抗原結合断片が、タリモジーン・ラハーパレプベックの１回以上の二次用量と連続してかつ同時に投与される、請求項１〜４のいずれか一項に記載の医薬組成物。
【請求項９】
タリモジーン・ラハーパレプベックが腫瘍内に投与され、ペンブロリズマブ、ペンブロリズマブバリアント又はこれらの抗原結合断片が全身的に投与される、又は
タリモジーン・ラハーパレプベック及びペンブロリズマブ、ペンブロリズマブバリアント又はこれらの抗原結合断片が腫瘍内に投与される、
請求項８に記載の医薬組成物。
【請求項１０】
二次用量が３週間に１回（Ｑ３Ｗ）で投与される、請求項９に記載の医薬組成物。
【請求項１１】
タリモジーン・ラハーパレプベックの初回用量が、１週目の１日目に投与され、タリモジーン・ラハーパレプベックの二次用量が、４週目の１日目、７週目の１日目に投与され、その後３週間に１回（Ｑ３Ｗ）で投与される、請求項９に記載の医薬組成物。
【請求項１２】
ペンブロリズマブ、ペンブロリズマブバリアント又はこれらの抗原結合断片の初回用量が、４週目の１日目に投与され、ペンブロリズマブ、ペンブロリズマブバリアント又はこれらの抗原結合断片の二次用量が、７週目の１日目に投与され、その後３週間に１回（Ｑ３Ｗ）で投与される、請求項１１に記載の医薬組成物。
【請求項１３】
タリモジーン・ラハーパレプベックの初回用量が、１０６ＰＦＵ／ｍＬの用量にて投与され、タリモジーン・ラハーパレプベックの二次用量が、１０７又は１０８ＰＦＵ／ｍＬの用量にて投与される、請求項１２に記載の医薬組成物。
【請求項１４】
初回用量及び二次用量が、最大で約４ｍＬ又は約８ｍＬまでである、請求項１３に記載の医薬組成物。
【請求項１５】
ペンブロリズマブ、ペンブロリズマブバリアント又はこれらの抗原結合断片の初回用量が、約２００ｍｇの用量にて投与され、ペンブロリズマブ、ペンブロリズマブバリアント又はこれらの抗原結合断片の二次用量が、約２００ｍｇの用量にて投与される、請求項１２に記載の医薬組成物。
【請求項１６】
対象におけるがんが、標準的治療の全身抗がん療法に対して不十分に応答し、前記標準的治療の全身抗がん療法が、タリモジーン・ラハーパレプベック／ペンブロリズマブ併用療法を含まない、請求項１〜４のいずれか一項に記載の医薬組成物。
【請求項１７】
対象におけるがんが、標準的治療の全身抗がん療法の間に進行し、前記標準的治療の全身抗がん療法が、タリモジーン・ラハーパレプベック／ペンブロリズマブ併用療法を含まない、請求項１〜４のいずれか一項に記載の医薬組成物。
【請求項１８】
対象におけるがんが、標準的治療の全身抗がん療法に対して耐性があり、前記標準的治療の全身抗がん療法が、タリモジーン・ラハーパレプベック／ペンブロリズマブ併用療法を含まない、請求項１〜４のいずれか一項に記載の医薬組成物。
【請求項１９】
タリモジーン・ラハーパレプベック及びペンブロリズマブ、ペンブロリズマブバリアント又はこれらの抗原結合断片を含む、対象におけるがんを治療するための医薬組成物であって、前記タリモジーン・ラハーパレプベック及びペンブロリズマブ、ペンブロリズマブバリアント又はこれらの抗原結合断片が、対象に併用して投与される、医薬組成物。
【請求項２０】
タリモジーン・ラハーパレプベック及びペンブロリズマブ、ペンブロリズマブバリアント又はこれらの抗原結合断片を含む、原発性及び続発性肝がんを治療するための医薬組成物であって、前記タリモジーン・ラハーパレプベック及びペンブロリズマブ、ペンブロリズマブバリアント又はこれらの抗原結合断片が、対象に併用して投与される、医薬組成物。
【手続補正書】
【提出日】令和3年10月15日(2021.10.15)
【手続補正１】
【補正対象書類名】特許請求の範囲
【補正対象項目名】全文
【補正方法】変更
【補正の内容】
【特許請求の範囲】
【請求項１】
蒸留によるホモアリルアルコールの精製プロセスであって、ここで蒸留が、塩基の存在下で実行され、およびここでホモアリルアルコールが、E,E-ホモファルネソールである、前記プロセス。
【請求項２】
塩基が、少なくとも7以上の、好ましくは少なくとも9のpkA値を有する、請求項1に記載のプロセス。
【請求項３】
塩基が、アミンである、請求項１または２に記載のプロセス。
【請求項４】
塩基が、ジデシルメチルアミンおよびトリデシルアミンからなる群から選択されるアミンである、請求項３に記載のプロセス。
【請求項５】
(-)-Ambroxを調製する方法であって、該方法が、請求項１〜４のいずれか一項に記載の蒸留によるE,E-ホモファルネソールの精製というステップ、および精製されたE,E-ホモファルネソールを、スクアレンホペンシクラーゼを使用する生体触媒によるプロセスにおいて(-)-Ambroxへ変換することを含む、前記方法。
【手続補正書】
【提出日】令和3年11月1日(2021.11.1)
【手続補正１】
【補正対象書類名】特許請求の範囲
【補正対象項目名】全文
【補正方法】変更
【補正の内容】
【特許請求の範囲】
【請求項１】
対象の微生物叢中の少なくとも１つの抗生物質耐性遺伝子の存在量を低減させるための、１つ以上の細菌を含む、組成物。
【請求項２】
対象において、少なくとも１つの抗生物質耐性遺伝子を含む病原性細菌（「抗生物質耐性細菌」）の望ましくないレベルまたは集団を特徴とする疾患又は状態を治療するための、１つ以上の細菌を含む、組成物。
【請求項３】
対象の消化管内の非病原性共生細菌から病原性細菌への少なくとも１つの抗生物質耐性遺伝子の水平伝染を中断するための、１つ以上の細菌を含む組成物。
【請求項４】
前記少なくとも１つの抗生物質耐性遺伝子が、表１に列挙されるものから選択される、請求項１〜３のいずれか一項に記載の組成物。
【請求項５】
前記少なくとも１つの抗生物質耐性遺伝子が、２つ、３つ、４つ、５つ、６つ、７つ、８つ、９つ、１０、１１、１２、１３、１４、１５、１６、１７、１８、１９、２０、２１、２２、２３、２４、２５またはそれ以上の異なる抗生物質耐性遺伝子を含む、請求項４に記載の組成物。
【請求項６】
前記少なくとも１つの抗生物質耐性遺伝子が、表２に列挙される薬物クラスからの抗生物質に対する耐性を付与することができる、請求項１〜５のいずれか一項に記載の組成物。
【請求項７】
前記１つ以上の細菌が、表３に列挙される１つ以上の細菌種から選択される、請求項１〜６のいずれか一項に記載の組成物。
【請求項８】
表３に列挙される前記１つ以上の細菌種が、表５に列挙される１６Ｓ  ｒＤＮＡ、Ｖ４、及び／またはＶ６配列、あるいはそれに対して少なくとも９５％の同一性を有する配列を含む、請求項７に記載の組成物。
【請求項９】
前記１つ以上の細菌が、Ｂｌａｕｔｉａ  ｗｅｘｌｅｒａｅ、Ｃｌｏｓｔｒｉｄｉｕｍ  ｉｎｎｏｃｕｕｍ、Ｃｌｏｓｔｒｉｄｉｕｍ  ｂｏｌｔｅａｅ、Ｆｌａｖｏｎｉｆｒａｃｔｏｒ  ｐｌａｕｔｉｉ、Ｂｌａｕｔｉａ  ｈｏｍｉｎｉｓ、Ａｎａｅｒｏｔｒｕｎｃｕｓ  ｃｏｌｉｈｏｍｉｎｉｓ、Ｃｌｏｓｔｒｉｄｉｕｍ  ｒａｍｏｓｕｍ、Ｅｍｅｒｇｅｎｃｉａ  ｔｉｍｏｎｅｎｓｉｓ、Ｄｏｒｅａ  ｌｏｎｇｉｃａｔｅｎａ、Ｃｌｏｓｔｒｉｄｉｕｍ  ａｌｄｅｎｅｎｓｅ、Ｅｉｓｅｎｂｅｒｇｉｅｌｌａ  ｔａｙｉ、Ｃｌｏｓｔｒｉｄｉｕｍ  ｓｃｉｎｄｅｎｓまたはそれらの組み合わせから選択される、請求項１〜８のいずれか１項に記載の組成物。
【請求項１０】
（ｉ）前記Ｂｌａｕｔｉａ  ｗｅｘｌｅｒａｅが、配列番号１０４〜１１０及び２５５のいずれか１つに記載の１６Ｓ  ｒＤＮＡ配列と少なくとも９５％同一である１６Ｓ  ｒＤＮＡ配列を含むか、
（ｉｉ）前記Ｃｌｏｓｔｒｉｄｉｕｍ  ｉｎｎｏｃｕｕｍが、配列番号２２４〜２２８のいずれか１つに記載の１６Ｓ  ｒＤＮＡ配列と少なくとも９５％同一である１６Ｓ  ｒＤＮＡ配列を含むか、
（ｉｉｉ）前記Ｃｌｏｓｔｒｉｄｉｕｍ  ｂｏｌｔｅａｅが、配列番号７３に記載の１６Ｓ  ｒＤＮＡ配列と少なくとも９５％同一である１６Ｓ  ｒＤＮＡ配列を含むか、
（ｉｖ）前記Ｆｌａｖｏｎｉｆｒａｃｔｏｒ  ｐｌａｕｔｉｉが、配列番号１５８に記載の１６Ｓ  ｒＤＮＡ配列と少なくとも９５％同一である１６Ｓ  ｒＤＮＡ配列を含むか、
（ｖ）前記Ｂｌａｕｔｉａ  ｈｏｍｉｎｉｓが、配列番号１５２〜１５５のいずれか１つに記載の１６Ｓ  ｒＤＮＡ配列と少なくとも９５％同一である１６Ｓ  ｒＤＮＡ配列を含むか、
（ｖｉ）前記Ａｎａｅｒｏｔｒｕｎｃｕｓ  ｃｏｌｉｈｏｍｉｎｉｓが、配列番号８９〜９２のいずれか１つに記載の１６Ｓ  ｒＤＮＡ配列と少なくとも９５％同一である１６Ｓ  ｒＤＮＡ配列を含むか、
（ｖｉｉ）前記Ｃｌｏｓｔｒｉｄｉｕｍ  ｒａｍｏｓｕｍが、配列番号８６に記載の１６Ｓ  ｒＤＮＡ配列と少なくとも９５％同一である１６Ｓ  ｒＤＮＡ配列を含むか、
（ｖｉｉｉ）前記Ｅｍｅｒｇｅｎｃｉａ  ｔｉｍｏｎｅｎｓｉｓが、配列番号１４に記載の１６Ｓ  ｒＤＮＡ配列と少なくとも９５％同一である１６Ｓ  ｒＤＮＡ配列を含むか、
（ｉｘ）前記Ｄｏｒｅａ  ｌｏｎｇｉｃａｔｅｎａが、配列番号６０及び６１のいずれか１つに記載の１６Ｓ  ｒＤＮＡ配列と少なくとも９５％同一である１６Ｓ  ｒＤＮＡ配列を含むか、
（ｘ）前記Ｃｌｏｓｔｒｉｄｉｕｍ  ａｌｄｅｎｅｎｓｅが、配列番号２７８に記載の１６Ｓ  ｒＤＮＡ配列と少なくとも９５％同一である１６Ｓ  ｒＤＮＡ配列を含むか、
（ｘｉ）前記Ｅｉｓｅｎｂｅｒｇｉｅｌｌａ  ｔａｙｉが、配列番号２７６に記載の１６Ｓ  ｒＤＮＡ配列と少なくとも９５％同一である１６Ｓ  ｒＤＮＡ配列を含むか、または
（ｘｉｉ）前記Ｃｌｏｓｔｒｉｄｉｕｍ  ｓｃｉｎｄｅｎｓは、配列番号８７および８８のいずれか１つに記載の１６Ｓ  ｒＤＮＡ配列と少なくとも９５％同一である１６Ｓ  ｒＤＮＡ配列を含む、
請求項９に記載の組成物。
【請求項１１】
前記組成物が、表４に列挙される１つ以上の細菌種を含まない、請求項１〜１０のいずれか一項に記載の組成物。
【請求項１２】
前記組成物中の前記細菌が、胞子の形態、培養された形態、又は両方である、請求項１〜１１のいずれか一項に記載の組成物。
【請求項１３】
前記組成物が、Ｆｉｒｍｉｃｕｔｅｓの１つ以上の細菌種及びＢａｃｔｅｒｏｉｄｅｓの１つ以上の細菌種を含む、請求項１〜１２のいずれか一項に記載の組成物。
【請求項１４】
前記組成物の投与の前に、前記対象が、
（ｉ）キノロン耐性、ベータ−ラクタム耐性、カルバペネム耐性細菌及びそれらの組み合わせからなる群から選択される１つ以上の細菌の存在量を低減させるか、
（ｉｉ）抗生物質による治療に反応しないか、
（ｉｉｉ）Ｃｌｏｓｔｒｉｄｉｕｍ  ｄｉｆｆｉｃｉｌｅ（Ｃ．ｄｉｆｆｉｃｉｌｅ）感染症に罹患している、またはその発症のリスクがあるか、
（ｉｖ）大腸炎に罹患している、またはその発症のリスクがあるか、あるいは、
（ｖ）それらの任意の組み合わせである、
請求項１〜１３のいずれか一項に記載の組成物。
【請求項１５】
前記大腸炎が、クローン病、潰瘍性大腸炎、または両方である、請求項１４に記載の組成物。
【請求項１６】
前記大腸炎が、軽度から中等度の潰瘍性大腸炎である、請求項１５に記載の組成物。
【手続補正書】
【提出日】令和3年10月15日(2021.10.15)
【手続補正１】
【補正対象書類名】特許請求の範囲
【補正対象項目名】全文
【補正方法】変更
【補正の内容】
【特許請求の範囲】
【請求項１】
N-(3-(5-((1-エチルピペリジン-4-イル)(メチル)アミノ)-3-(ピリミジン-5-イル)-1H-ピロロ[3,2-b]ピリジン-1-イル)-2,4-ジフルオロフェニル)プロパン-1-スルホンアミド・モノコハク酸の結晶塩。
【請求項２】
実質的に無水かつ非溶媒和物である、請求項1に記載の結晶塩。
【請求項３】
A型である、請求項1または2に記載の結晶塩。
【請求項４】
2θが15.4°±0.5°、20.0°±0.5°および21.8°±0.5°のピークの中の少なくとも一つを含むＸ線粉末回折パターンを有する、請求項1から3のいずれか一項に記載の結晶塩。
【請求項５】
15.4°±0.5°、20.0°±0.5°、または21.8°±0.5°のピークがＸ線粉末回折パターンの中の最も高い相対強度のピークである、請求項4に記載の結晶塩。
【請求項６】
2θが15.4°±0.2°、20.0°±0.2°および21.8°±0.2°のピークの中の少なくとも一つを含むＸ線粉末回折パターンを有する、請求項1から5のいずれか一項に記載の結晶塩。
【請求項７】
15.4°±0.2°、20.0°±0.2°または21.8°±0.2°のピークがＸ線粉末回折パターンの中の最も高い相対強度のピークである、請求項6に記載の結晶塩。
【請求項８】
2θが15.4°±0.5°の少なくとも一つのピークを含むＸ線粉末回折パターンを有する、請求項1から7のいずれか一項に記載の結晶塩。
【請求項９】
15.4°±0.5°のピークがＸ線粉末回折パターンの中の最も高い相対強度のピークである、請求項8に記載の結晶塩。
【請求項１０】
2θが15.4°±0.2°の少なくとも一つのピークを含むＸ線粉末回折パターンを有する、請求項1から9のいずれか一項に記載の結晶塩。
【請求項１１】
15.4°±0.2°のピークがＸ線粉末回折パターンの中の最も高い相対強度のピークである、請求項10に記載の結晶塩。
【請求項１２】
2θが15.4°±0.5°、20.0°±0.5°および21.8°±0.5°のピークを含むＸ線粉末回折パターンを有する、請求項1から11のいずれか一項に記載の結晶塩。
【請求項１３】
15.4°±0.5°、20.0°±0.5°、または21.8°±0.5°のピークがＸ線粉末回折パターンの中の最も高い相対強度のピークである、請求項12に記載の結晶塩。
【請求項１４】
2θが15.4°±0.2°、20.0°±0.2°および21.8°±0.2°のピークを含むＸ線粉末回折パターンを有する、請求項1から13のいずれか一項に記載の結晶塩。
【請求項１５】
15.4°±0.2°、20.0°±0.2°または21.8°±0.2°のピークがＸ線粉末回折パターンの中の最も高い相対強度のピークである、請求項14に記載の結晶塩。
【請求項１６】
図10、図26または図38に示されるＸ線粉末回折パターンを有する、請求項1に記載の結晶塩。
【請求項１７】
図11、図27または図39に示される示差走査熱量測定(DSC)サーモグラムを有する、請求項1に記載の結晶塩。
【請求項１８】
図12、図28または図39に示される熱重量分析(TGA)を有する、請求項1に記載の結晶塩。
【請求項１９】
実質的に単離されている、請求項1から18のいずれか一項に記載の結晶塩。
【請求項２０】
請求項1から19のいずれか一項に記載の結晶塩および少なくとも一つの製薬的に許容できる担体を含む医薬組成物。
【請求項２１】
RAFキナーゼの異常発現または活性に関連する疾患を処置するための、請求項20に記載の医薬組成物。
【請求項２２】
疾患がB-RAFキナーゼの異常発現または活性に関連する、請求項21に記載の医薬組成物。
【請求項２３】
B-RAF-キナーゼが突然変異B-RAFキナーゼである、請求項22に記載の医薬組成物。
【請求項２４】
B-RAF-キナーゼがV600E突然変異B-RAFキナーゼである、請求項23に記載の医薬組成物。
【請求項２５】
疾患が癌、感染症、炎症および自己免疫性疾患から選択される、請求項21から24のいずれか一項に記載の医薬組成物。
【請求項２６】
癌を処置するための、請求項20に記載の医薬組成物。
【請求項２７】
癌が乳癌、前立腺癌、結腸癌、子宮内膜癌、脳癌、膀胱癌、皮膚癌、子宮癌、卵巣癌、肺癌、膵臓癌、腎臓癌、胃癌、または血液癌である、請求項26に記載の医薬組成物。
【請求項２８】
癌が悪性黒色腫、甲状腺癌、結腸直腸癌、胆管癌、前立腺癌、卵巣癌または非小細胞性肺癌である、請求項26記載の医薬組成物。
【請求項２９】
癌がRAFキナーゼの発現または活性に関連する、請求項26から28のいずれか一項に記載の医薬組成物。
【請求項３０】
癌がB-RAFキナーゼの発現または活性に関連する、請求項29に記載の医薬組成物。
【請求項３１】
B-RAF-キナーゼが突然変異B-RAFキナーゼである、請求項30に記載の医薬組成物。
【請求項３２】
B-RAF-キナーゼがV600E突然変異B-RAFキナーゼである、請求項31に記載の医薬組成物。
【請求項３３】
癌が黒色腫である、請求項25から32のいずれか一項に記載の医薬組成物。
【請求項３４】
癌が結腸直腸癌である、請求項25から32のいずれか一項に記載の医薬組成物。
【請求項３５】
癌が結腸癌である、請求項25から32のいずれか一項に記載の医薬組成物。
【請求項３６】
癌が甲状腺癌である、請求項25から32のいずれか一項に記載の医薬組成物。
【請求項３７】
癌が突然変異B-RAFキナーゼを発現する、請求項25から33のいずれか一項に記載の医薬組成物。
【請求項３８】
癌がV600E突然変異B-RAFキナーゼを発現する、請求項25から34のいずれか一項に記載の医薬組成物。
【請求項３９】
投与剤形の形態である、請求項20から38に記載の医薬組成物。
【請求項４０】
錠剤である、請求項39に記載の医薬組成物。
【請求項４１】
請求項1から19のいずれか一項に記載の結晶塩の調製方法であって、
N-(3-(5-((1-エチルピペリジン-4-イル)(メチル)アミノ)-3-(ピリミジン-5-イル)-1H-ピロロ[3,2-b]ピリジン-1-イル)-2,4-ジフルオロフェニル)プロパン-1-スルホンアミドをコハク酸1当量と反応させることを含む方法。
【請求項４２】
C1-4アルコールまたは水性C1-4アルコールまたは酢酸エチルから塩を結晶化させることをさらに含む、請求項41に記載の方法。
【請求項４３】
エタノール、イソプロパノール、水性エタノールまたは水性イソプロパノール、または酢酸エチルから塩を結晶化させることをさらに含む、請求項41に記載の方法。
【手続補正書】
【提出日】令和3年7月8日(2021.7.8)
【手続補正１】
【補正対象書類名】特許請求の範囲
【補正対象項目名】全文
【補正方法】変更
【補正の内容】
【特許請求の範囲】
【請求項１】
環境ノイズを検出し、ノイズ信号を生成するように動作可能な音声センサと、
音声信号を受け取り、インターポレーションフィルタによって前記音声信号を処理し、第１サンプル周波数を有する主音声信号を生成するように動作可能な音声処理パスと、
前記ノイズ信号を受け取り、対応するアンチノイズ信号を生成するように動作可能な動的ノイズキャンセレーションプロセッサと、
前記アンチノイズ信号を受け取り、前記第１サンプル周波数を有するアップサンプリング後アンチノイズ信号を生成するように動作可能な直接インターポレータと、
前記主音声信号と前記アップサンプリング後アンチノイズ信号とを受け取り、結合出力信号を生成するように動作可能な加算器と、
前記結合出力信号を処理するように動作可能な低遅延フィルタと、
を備える
システム。
【請求項２】
前記低遅延フィルタが、それぞれが異なるサンプル周波数でフィルタリングを行う複数のフィルタを備えている
請求項１に記載のシステム。
【請求項３】
前記低遅延フィルタは、直列配置で設けられた複数の格子波フィルタを備えており、
前記複数の格子波フィルタのそれぞれは、異なる周波数帯域を処理する
請求項２に記載のシステム。
【請求項４】
前記サンプル周波数は、各連続するフィルタで、整数倍で増加される
請求項３に記載のシステム。
【請求項５】
前記格子波フィルタが、複数の遅延要素を備えており、
特定の出力サンプル周波数での直接サンプリングが、複数のフィルタをインターレースすることで行われる
請求項３または４に記載のシステム。
【請求項６】
Ｎ個の遅延要素がリフレクター部（２ポートアダプタ）に設けられ、1つのパスがＮ／２個の遅延要素で遅延され、他の１つのパスが入力信号に直接接続され、
Ｎは、１連の２の累乗数である
請求項５に記載のシステム。
【請求項７】
各格子波フィルタは、Ｎを１より大きい整数として、それぞれがＮ単位遅延で遅延される複数のリフレクター要素（２ポートアダプタ）を備える１つのパスと、Ｍを１より大きい整数として、Ｍ個の遅延要素を含む１つのパスとを含む２つのパスを備えている
請求項３〜６のいずれか１項に記載のシステム。
【請求項８】
前記動的ノイズキャンセレーションプロセッサが、更に、filtered-X最小二乗法処理を用いてフィルタ係数を計算することで前記アンチノイズ信号を得るように動作可能な
請求項１〜７のいずれか１項に記載のシステム。
【請求項９】
前記直接インターポレータが、オーバーフローを回避するように前記アンチノイズ信号の最上位ビットを拡張するように動作可能な符号拡張段と、前記アップサンプリング後アンチノイズ信号におけるビット数を低減するようにクリッピングを行うように動作可能なリミッターとを備えている。
請求項１〜８のいずれか１項に記載のシステム。
【請求項１０】
複数のリフレクター要素（２ポートアダプタ）を備え、各リフレクター要素がＮ個（Ｎは、２より大きい整数）の遅延要素によって遅延される第１パスと、
Ｍ個（Ｍは、１より大きい整数）の遅延要素によって遅延される第２パスと
を備える第１格子波フィルタを備える
システム。
【請求項１１】
第１サンプル周波数を有する主音声信号を受け取って処理する音声処理パスと、
前記主音声信号を第２サンプル周波数にダウンサンプリングするように動作可能なデシメータと、前記第２サンプル周波数で前記主音声信号とノイズ信号とを受け取り前記第２サンプル周波数を有するアンチノイズ信号を生成するように動作可能な動的ノイズキャンセレーションプロセッサと、前記アンチノイズ信号を前記第１サンプル周波数にアップサンプリングするように動作可能なインターポレータとを備える動的ノイズキャンセレーションパスと、
前記アンチノイズ信号と前記主音声信号とを前記第１サンプル周波数で結合するように動作可能な加算器と
を備える動的ノイズキャンセレーションシステムを更に備え、
前記デシメータが、前記第１格子波フィルタを備え、前記インターポレータが、Ｎ個の遅延要素とＭ個の遅延要素をそれぞれ備える２つのパスを有する第２格子波フィルタを備えている
請求項１０に記載のシステム。
【請求項１２】
環境ノイズを検出して対応する電気信号を生成するように構成されたマイクロホンと前記第２サンプル周波数で前記ノイズ信号を生成する低遅延デシメータと
を更に備える
請求項１１に記載のシステム。
【請求項１３】
前記第１サンプル周波数に整合する入出力サンプル周波数を有するオーバーサンプルドインターポレーションフィルタを更に備え
前記オーバーサンプルドインターポレーションフィルタが、前記動的ノイズキャンセレーションパスの前記インターポレータによって生成された偽イメージを除去するように動作可能である
請求項１１または１２に記載のシステム。
【請求項１４】
前記第１格子波フィルタと前記第２格子波フィルタとのそれぞれは、各段が２倍で動作サンプルレートを変化させる多段ステージ格子波フィルタ構成を備えている
請求項１１〜１３のいずれか１項に記載のシステム。
【請求項１５】
前記デシメータ及びインターポレータのそれぞれは、オーバーフローを避けるように受信信号の最上位ビットを拡張するように動作可能である符号拡張段と、出力ビットの数を低減するようにクリッピングを行うように動作可能なリミッターとを備える
請求項１４に記載のシステム。
【請求項１６】
環境ノイズを検出してノイズ信号を生成することと、
インターポレーションフィルタで音声信号を処理して第１サンプル周波数を有する主音声信号を生成することと、
前記ノイズ信号から第２サンプル周波数を有するアンチノイズ信号を生成することと、
前記アンチノイズ信号を直接内挿することで前記第１サンプル周波数を有するアップサンプリング後アンチノイズ信号を生成することと、
前記主音声信号と前記アップサンプリング後アンチノイズ信号とを結合して結合出力信号を生成することと、
低遅延フィルタで前記結合出力信号を処理することと
を含む
方法。
【請求項１７】
フィルタリングが、直列配置に設けられた複数の格子波フィルタを適用することを含み、
前記格子波フィルタのそれぞれが、各連続するフィルタで逐次に変化する異なるサンプル周波数を処理する
請求項１６に記載の方法。
【請求項１８】
直接内挿することは、オーバーフローを回避するように前記アンチノイズ信号の最上位ビットを拡張することと、前記アップサンプリング後アンチノイズ信号の出力ビット数を低減するようにクリッピングを行うこととを含む
請求項１６または１７に記載の方法。
【請求項１９】
前記主音声信号を間引いて前記主音声信号を前記第２サンプル周波数にダウンサンプリングすることを更に含み、
前記ノイズ信号から前記第２サンプル周波数を有する前記アンチノイズ信号を生成することは、更に、ダウンサンプリングされた前記主音声信号を分析することを含む
請求項１６〜１８のいずれか１項に記載の方法。
【請求項２０】
前記ノイズ信号から前記第２サンプル周波数を有する前記アンチノイズ信号を生成することは、filtered-X最小二乗法処理を用いてフィルタ係数を計算することを含む
請求項１６〜１９のいずれか１項に記載の方法。
【手続補正書】
【提出日】令和3年10月6日(2021.10.6)
【手続補正１】
【補正対象書類名】特許請求の範囲
【補正対象項目名】全文
【補正方法】変更
【補正の内容】
【特許請求の範囲】
【請求項１】
バッチプロセスに従って製造される飲料の品質を追跡するための方法であって、
第１の原料を水に添加して、バッチを形成することを含む第１添加工程と、
前記第１の原料が完全に混合されるまで、前記バッチを混合することを含む第１混合工程と、
第２の原料を前記バッチに添加することを含む第２添加工程と、
前記第２の原料が完全に混合されるまで、前記バッチを混合することことを含む第２混合工程と、
インライン密度デバイスを使用して、前記バッチの密度をリアルタイムで測定することを含む測定工程と、
前記バッチの密度の変化を監視することを含む監視工程と、
前記密度の変化に基づいて、目標レシピからの偏差を検出することを含む検出工程と、
前記バッチプロセスから検出されたあらゆる偏差をリアルタイムで修正することを含む修正工程と、を含む、方法。
【請求項２】
前記検出工程が、前記密度測定値を前記目標レシピの密度値と比較することを含み、
前記修正工程が、更なる原料を添加することによって、前記目標レシピデータの前記密度値に前記密度を一致させることを含む、請求項１に記載の方法。
【請求項３】
前記測定工程、監視工程、及び検出工程が、前記インライン密度デバイスと通信しているソフトウェアによって実行される、請求項２に記載の方法。
【請求項４】
前記検出工程が、前記バッチの前記密度が前記目標レシピの前記密度から少なくとも１％偏差したと判定する場合、前記ソフトウェアが自動アラートを提供する、請求項３に記載の方法。
【請求項５】
追加の５つの原料について、前記第１添加工程及び前記第１混合工程を繰り返すことを更に含む、請求項１に記載の方法。
【請求項６】
前記密度が、前記５つの原料のそれぞれが添加された後に測定される、請求項５に記載の方法。
【請求項７】
質量流量をリアルタイムで測定することを更に含む、請求項１に記載の方法。
【請求項８】
前記検出工程が、各原料を添加した後に実行される、請求項１に記載の方法。
【請求項９】
前記インライン密度デバイスが密度計を含む、請求項１に記載の方法。
【請求項１０】
前記第１の原料を添加した後、かつ前記第２の原料を添加する前に、
前記インライン密度デバイスを使用して、前記バッチのドライブゲインを測定することと、
前記測定されたドライブゲインに基づいて、前記バッチが完全に混合されているかどうかを判定することと、
前記バッチが完全に混合されていることを前記ドライブゲインが示すまで、前記バッチを混合することと、を更に含む、請求項１に記載の方法。
【請求項１１】
前記密度が、連続的に測定される、請求項１に記載の方法。
【請求項１２】
前記原料が、順次添加され、
各原料が添加された後に、前記密度が測定される、請求項１に記載の方法。
【請求項１３】
飲料を製造するためのバッチプロセスにおける不均質性を検出する方法であって、
前記飲料を形成するためのバッチに第１の原料を混合することを含む混合工程と、
インライン密度デバイスを使用して、前記バッチのドライブゲインをリアルタイムで測定することを含む測定工程と、
前記ドライブゲインの変化を監視することを含む監視工程と、
前記ドライブゲインの前記変化に基づいて、前記バッチにおける不均質性を検出することを含む検出工程と、
第２の原料を添加する前に、リアルタイムで検出されたあらゆる不均質性を修正することを含む修正工程と、を含む、方法。
【請求項１４】
前記修正工程が、前記ドライブゲインが前記バッチへの前記第１の原料の完全な溶解を示すまで、前記バッチを混合することを含む、請求項１３に記載の方法。
【請求項１５】
前記測定工程、前記監視工程、及び前記検出工程が、ソフトウェアによって実行される、請求項１３に記載の方法。
【請求項１６】
前記検出工程が不均質性を検出した場合、前記ソフトウェアが、前記修正工程を自動的に実行し、
前記修正工程が、前記バッチが均質になるまで、前記バッチを混合することを含む、請求項１５に記載の方法。
【請求項１７】
前記ドライブゲインの前記変化が、前記バッチの特性の変化に対応し、前記特性が、気泡の量、未溶解固体の量、凝集の量、又は粘度のうちの１つ以上である、請求項１３に記載の方法。
【請求項１８】
リアルタイムで密度を測定するために、飲料を製造するためのバッチシステムを後付けする方法であって、
再循環ループを前記バッチシステムに追加することと、
インライン密度デバイスを前記再循環ループに追加することと、
前記バッチシステムに含まれるバッチを前記再循環ループを通して循環させるように前記バッチシステムを構成することと、を含み、
前記インライン密度デバイスが、前記バッチの前記密度をリアルタイムで測定するように構成されている、方法。
【請求項１９】
前記インライン密度デバイスが密度計である、請求項１８に記載の方法。
【手続補正書】
【提出日】令和3年9月28日(2021.9.28)
【手続補正１】
【補正対象書類名】特許請求の範囲
【補正対象項目名】全文
【補正方法】変更
【補正の内容】
【特許請求の範囲】
【請求項１】
環境の空間プロファイルの推定を容易にするためのシステムであって、
出射光を提供する光源と、
前記環境によって反射された前記出射光の少なくとも一部に対応する入射光を検出する１以上の光検出器と、
１以上の入力ポートを介して前記出射光を受信し、
受信した前記出射光を双方向ポートを介して自由空間環境にある出射経路に直接送信し、
前記入射光を前記双方向ポートを介して、前記出射経路と少なくとも部分的に重なり合うように空間的に配置された、前記自由空間環境にある入射経路上で受信し、
前記１以上の入力ポートから空間的に変位した１以上の出力ポートを介して、受信した前記入射光を前記光検出器に送信する
光サーキュレータと、
前記環境の方向の前記出射経路上の前記出射光を１以上の出射方向に方向づけ、
前記環境から入射経路上に反射した入射光を前記光サーキュレータの方向に方向づける
前記自由空間環境にあるビームステアラと
を備え、
検出された光に関連する１以上の特性は、１以上の出射方向に関連する前記環境の前記空間プロファイルを推定するための情報を有しており、
前記１以上の出力ポートは、前記１以上の光検出器に、直交する偏光に分離されたそれぞれの光ビームを提供する２の出力ポートを有するか、あるいは、
前記１以上の入力ポートは、前記光源から、直交する偏光に分離されたそれぞれの光ビームを受信する２の入力ポートを有するか
のいずれかである
システム。
【請求項２】
前記光サーキュレータは、
前記入射経路から前記１以上の出力ポートに向かう前記入射光の入射ビームを、前記１以上の入力ポートから前記出射経路に向かう前記出射光の異常偏光ビームおよび通常偏光ビームの一方または双方から変位させるためのコアを有する
請求項１に記載のシステム。
【請求項３】
前記光源は、前記光サーキュレータの前記１以上の入力ポートにそれぞれ直接的に光結合された、１以上の入力光ファイバを有し、
前記光検出器は、前記光サーキュレータの前記出力ポートに光結合された出力光ファイバを有し、
前記出力光ファイバは、マルチモードファイバを有する
請求項１に記載のシステム。
【請求項４】
前記光源と前記光サーキュレータとの間に、集積ファイバ偏光ビームスプリッタとＶ溝ファイバアレイとを備える
請求項１に記載のシステム。
【請求項５】
前記光サーキュレータの前記１以上の入力ポートに光結合され、前記光源からの出射光を伝送する１以上の偏波保持ファイバを備える
請求項１に記載のシステム。
【請求項６】
前記２の出力ポートは、前記入射光の偏光解消率の検出を容易にする
請求項５に記載のシステム。
【請求項７】
前記検出された光に関連する前記１以上の特性は、前記偏光解消率の検出率をさらに含み、前記偏光解消率の検出率に基づいて、前記入射光が、金属性の面、非金属性の面、または鏡面により反射されたこと判定する
請求項６に記載のシステム。
【請求項８】
異なる偏光に分割された出射光を提供する偏光ビームスプリッタを有するか、あるいは当該偏光ビームスプリッタと光学的に連通する少なくとも１以上の光源と、
入射光を検出する１以上の光検出器と、
１以上の結晶を有する１以上の光サーキュレータと
を備え、
前記光サーキュレータの複数の入力ポートに前記出射光を方向づけ、１つの入力ポートに前記出射光の１つの偏光を方向づけ、別の入力ポートに前記出射光の別の偏光を方向づけ、
前記光サーキュレータから前記光サーキュレータの双方向ポートを介して前記出射光を出力し、
前記入射光を前記双方向ポートに方向づけ、
前記入力ポートから空間的に変位された前記光サーキュレータの出力ポートを介して受信した前記入射光を前記光検出器に送信する
光学システム。
【請求項９】
前記光サーキュレータの前記１以上の結晶は、均一な結晶である
請求項８に記載の光学システム。
【請求項１０】
ファイバ製の前記偏光ビームスプリッタと一体化された光学アレイをさらに備える
請求項８に記載の光学システム。
【請求項１１】
前記光学アレイは、Ｖ溝ファイバアレイである
請求項１０に記載の光学システム。
【請求項１２】
前記双方向ポートは、コリメート素子を有するか、あるいは、前記コリメート素子と光学的に連通する
請求項８に記載の光学システム。
【請求項１３】
第１導波路上に第１偏光を有する光を提供し、第２導波路上に前記第１偏光と異なる第２偏光を有する光を提供する光学部品と、
モード拡張光学素子を介在させることなく、前記第１導波路および前記第２導波路にそれぞれ接続された第１入力ポートおよび第２入力ポートと
１以上の出力ポートと、
双方向ポートと、
前記第１入力ポートおよび前記第２入力ポートで受信した光を前記双方向ポートに方向づけ、前記双方向ポートで受信した光を１以上の前記出力ポートに方向づけ、第１複屈折結晶と、前記第１複屈折結晶に続く非相反偏光回転素子と、前記非相反偏光回転素子に続く第２複屈折結晶とを有する光学アセンブリと
を有する光サーキュレータと
を備え、
前記第１複屈折結晶は、前記第１入力ポートおよび前記第２入力ポートから前記光サーキュレータを通る光の進行方向を横切る第１軸に対して、ゼロ以外の第１量だけ回転された第１表面を有し、
前記第２複屈折結晶は、前記第１軸に対して、ゼロ以外の前記第１量と実質的に同一のゼロ以外の第２量だけ回転された第２表面を有し、
前記第１表面および前記第２表面は、反対方向に回転される
光学システム。
【請求項１４】
前記光学部品は、
シングルモード光ファイバ上に光を方向づけるように配置された光源と、
前記第１導波路および前記第２導波路に動作可能に接続されたファイバ偏光ビームスプリッタと
を有する
請求項１３に記載の光学システム。
【請求項１５】
前記第１入力ポートおよび前記第２入力ポートは、光学アレイによって、前記第１導波路および前記第２導波路に接続される
請求項１４に記載の光学システム。
【請求項１６】
前記光学アレイは、前記ファイバ偏光ビームスプリッタと一体化されている
請求項１５に記載の光学システム。
【請求項１７】
前記ファイバ偏光ビームスプリッタおよび前記光学アレイは、偏光維持ファイバによって接続される
請求項１５に記載の光学システム。
【請求項１８】
前記非相反偏光回転素子は、半波長板素子とファラデー回転子とを有し、
前記半波長板素子は、前記第１入力ポートおよび前記第２入力ポートから前記光サーキュレータを通る光の進行方向を横切りかつ前記第１軸と直交する第２軸に対して、ゼロ以外の第３量だけ回転された第３表面を有し、
前記ファラデー回転子は、前記第２軸に対して、ゼロ以外の前記第３量と実質的に同一のゼロ以外の第４量だけ回転された第４表面を有し、
前記第３表面および前記第４表面は、反対方向に回転される
請求項１３に記載の光学システム。
【手続補正書】
【提出日】令和3年10月18日(2021.10.18)
【手続補正１】
【補正対象書類名】特許請求の範囲
【補正対象項目名】全文
【補正方法】変更
【補正の内容】
【特許請求の範囲】
【請求項１】
開放位置と閉止位置との間で設定可能なハウジングと、
前記ハウジングが開放位置にあるときに生体試料を採取するように構成された、試料採取ポートと、
前記生体試料を前記採取ポートから吸い込むように構成された、１つ以上の流体路と、
液体試薬を保持するように構成された、試薬チャンバと、
前記ハウジング内に配置され、１つ以上の試験化合物および保存料で処理された、メンブレンと、
前記ハウジング内に配置され、前記ハウジング内で前記メンブレンを保持するように構成された、構造部材と、
前記ハウジングが開放位置から閉止位置に動かされると、前記液体試薬と前記生体試料を前記１つ以上の流体路から前記メンブレンに供給するように構成された、機械的アクチュエータと、
前記ハウジングが閉止位置に動かされた後に再び開放するのを防ぐように構成された、ロック機構と、
前記メンブレンに曝されるように構成された、乾燥剤と、
を備える、生体試料を採取するための装置であって、
前記メンブレンの位置は、前記生体試料が前記メンブレン上に導入されると、前記生体試料から細胞材料を分離するように構成され、
前記ハウジングはさらに、該ハウジングが閉止位置にあるときに前記メンブレンが見えるように構成される、生体試料を採取するための装置。
【請求項２】
請求項１に記載の装置において、前記機械的アクチュエータがさらに、前記生体試料を前記液体試薬と混ぜ合わせて混合試料を形成し、該混合試料を前記メンブレンに供給するように構成される装置。
【請求項３】
請求項１に記載の装置において、液体試薬チャンバが、前記装置を開放位置から閉止位置へと動かす前に前記乾燥剤と流体連通下にない装置。
【請求項４】
請求項１に記載の装置において、前記ハウジングが２つ以上の部を備え、前記構造部材が、前記試料採取ポートを含有し、前記ハウジングの部を支持し、および、前記ハウジングが前記開放位置から前記閉止位置へと動くときに再開放を防ぐラチェット動作により、前記ハウジングの２つ以上の部を、互いに対して前記構造部材の長さに沿って前記開放位置から前記閉止位置へと動かすのを可能にする装置。
【請求項５】
請求項１に記載の装置において、さらに、疎水特性を持つ前記試料採取ポートにあるか、または該試料採取ポートに隣接する領域を備える装置。
【請求項６】
請求項１に記載の装置において、前記機械的アクチュエータが、１つ以上のプランジャを備える装置。
【請求項７】
請求項１に記載の装置において、前記機械的アクチュエータが、２つ以上のプランジャを備えており、該２つ以上のプランジャの２つ以上は、前記装置の閉止に際し並行して作動する装置。
【請求項８】
請求項１に記載の装置において、前記保存料が糖である装置。
【請求項９】
請求項１に記載の装置において、前記１つ以上の試験化合物が、エチレンジアミン四酢酸、ヘパリン、またはそれらの組み合わせを含む装置。
【請求項１０】
請求項１に記載の装置において、前記ハウジングが前記閉止位置にあるときに隔絶された内部空気空間をさらに備えており、前記隔絶された内部空気空間とメンブレンは、前記ハウジングが前記閉止位置にあるときに乾燥剤により乾燥される装置。
【請求項１１】
請求項１に記載の装置において、前記流体路の内部空間が、エチレンジアミン四酢酸、ヘパリン、またはそれらの組み合わせを塗布される装置。
【請求項１２】
請求項１に記載の装置において、前記流体路がキャピラリーである装置。
【請求項１３】
請求項１に記載の装置において、前記流体路が、所定量の液体を保持するように構成された計量キャピラリーである装置。
【請求項１４】
請求項１３に記載の装置において、前記計量キャピラリーが前記試料採取ポートおよび前記メンブレンと流体連通下にあり、前記生体試料が、毛細管現象により、前記試料採取ポートから取り出され、前記計量キャピラリーを通って前記メンブレンへと動かされる装置。
【請求項１５】
請求項１２に記載の装置において、前記機械的アクチュエータが複数のプランジャを備え、前記構造部材が複数の貫通孔を備え、前記構造部材が、前記プランジャと位置合わせした位置において前記貫通孔に前記キャピラリーを保持する装置。
【請求項１６】
請求項１に記載の装置において、前記流体路がキャピラリーであり、前記プランジャが、前記キャピラリーの内径とほぼ同じ直径であり、前記キャピラリーの内径と強固に係合し、前記装置が前記閉止位置にあるときに過剰分の血液試料が前記キャピラリーに入るのを防ぐ装置。
【請求項１７】
請求項１に記載の装置において、前記生体試料が血液であり、前記メンブレンが、血漿から赤血球を分離させるという前記メンブレンを介した前記生体試料の差別移動を引き起こす繊維構造を備える装置。
【請求項１８】
請求項１に記載の装置において、前記生体試料が血液であり、前記メンブレンが、赤血球に結合する薬剤を含む装置。
【請求項１９】
請求項１に記載の装置において、前記構造部材が弾性であり、前記流体路のまわりで前記生体試料が流れるのを防ぐために前記流体路を密封する装置。
【請求項２０】
請求項１に記載の装置において、前記ハウジングがさらに孔を備え、前記ロック機構が櫛歯を備え、前記櫛歯は、前記ハウジングが前記閉止位置にあるときに前記孔に係合するようにラチェット爪として機能する装置。
【手続補正書】
【提出日】令和3年10月5日(2021.10.5)
【手続補正１】
【補正対象書類名】特許請求の範囲
【補正対象項目名】全文
【補正方法】変更
【補正の内容】
【特許請求の範囲】
【請求項１】
水上にＦ．Ｏ．Ｇ．層を含有させるための装置であって、
入口及び出口を有するタンクであって、入口が、Ｆ．Ｏ．Ｇ．含有廃液の源に接続するように構成され、出口が、出口がタンク中のＦ．Ｏ．Ｇ．及び廃液についての基準静止水位を規定するように下水管に接続するように構成される、タンク、ただし、基準静止水位は、出口を通して水を排出することによって維持される；及び
基準静止水位より上に装着されたセンサーであって、Ｆ．Ｏ．Ｇ．の上部が基準静止水位よりどれくらい上にあるかを評価することによってタンク中のＦ．Ｏ．Ｇ．の厚さが決定されることができるようにセンサーからタンク内のＦ．Ｏ．Ｇ．の上部までの距離を決定するように構成されたセンサー、ただし、Ｆ．Ｏ．Ｇ．の上部は、Ｆ．Ｏ．Ｇ．の比重が水の比重より小さいために潜在的に基準静止水位より上にある
を含む装置。
【請求項２】
センサーが、ＬＩＤＡＲセンサーである、請求項１に記載の装置。
【請求項３】
センサーが、約９４０ｎｍで作動するＬＩＤＡＲセンサーである、請求項１に記載の装置。
【請求項４】
センサーが、磁石によって適所に保持される、請求項１に記載の装置。
【請求項５】
タンクが、タンクの主本体の上に延長カラーを有し、センサーが、延長カラーに装着されている、請求項１に記載の装置。
【請求項６】
延長カラーが、略円筒形であり、ロトモールド法によるプラスチックから成形された円弧部分から形成される、請求項５に記載の装置。
【請求項７】
センサーが、延長カラーの下部に装着されたセンサーユニット、及び延長カラーのより高い部分に装着された電池及び電子ユニットを含む、請求項５に記載の装置。
【請求項８】
電子ユニットが、タンク中のＦ．Ｏ．Ｇ．レベルを示す信号を送るための送信器を含む、請求項７に記載の装置。
【請求項９】
センサー及び電池及び電子ユニットが、コイル状電気コードによって連結され、点検修理のために延長カラーを通って上方にセンサーを引っ張るために十分な引張強度を有するつなぎ具が、延長カラーまで延びている、請求項７に記載の装置。
【請求項１０】
タンクが、タンク頂部、タンク頂部によって支持されかつ上方に延びる延長カラー、及び延長カラーの上に載る延長頂部を有し、
延長頂部、延長カラー、及びタンク頂部が、整合した開口を有し、それは、吸引管がＦ．Ｏ．Ｇ．の吸引のために整合した開口を通過することを可能にし、
吸引が必要とされないときには整合した開口を閉じるようにカバーが延長頂部における開口の上に嵌合する、請求項１に記載の装置。
【請求項１１】
センサーが、コンピュータービジョンを使用して作動する、請求項１に記載の装置。
【請求項１２】
電子ユニット、及び基準静止水位からの逸脱を処理するように構成された電子ユニットと関連するデータ分析モジュールを含む、請求項１に記載の装置。
【請求項１３】
センサーが、超音波センサーである、請求項１に記載の装置。
【請求項１４】
入口及び出口を有するタンク中のＦ．Ｏ．Ｇ．レベルを感知する方法であって、入口が、Ｆ．Ｏ．Ｇ．含有廃液の源に接続するように構成され、出口が、出口がタンク中のＦ．Ｏ．Ｇ．及び廃液についての基準静止水位を規定するように下水管に接続するように構成され、方法が、基準静止水位より上の位置に固定されるセンサーと、タンク内の基準静止水位より上のＦ．Ｏ．Ｇ．の頂部との間の距離を感知すること、及び感知した距離を使用してタンク中のＦ．Ｏ．Ｇ．の量がタンクからのＦ．Ｏ．Ｇ．除去を保証する閾値を越えているかどうかを決定することを含む、方法。
【請求項１５】
Ｆ．Ｏ．Ｇ．除去は、スキマーを作動することを含む、請求項１４に記載の方法。
【請求項１６】
Ｆ．Ｏ．Ｇ．除去は、タンクからＦ．Ｏ．Ｇ．をポンピングすることを含む、請求項１４に記載の方法。
【請求項１７】
感知は、ＬＩＤＡＲ感知である、請求項１４に記載の方法。
【請求項１８】
感知は、約９４０ｎｍでのＬＩＤＡＲ感知である、請求項１４に記載の方法。
【請求項１９】
基準静止水位からの逸脱を処理するためにセンサーと基準静止水位との間の距離についてのデータを分析することをさらに含む、請求項１４に記載の方法。
【請求項２０】
感知は、コンピュータービジョン感知である、請求項１４に記載の方法。
【請求項２１】
感知は、超音波感知である、請求項１４に記載の方法。